(57)【要約】【課題】反射ミラー部に触れることなく収納状態に変位させることができる画像表示装置を提供する。【解決手段】網膜走査型ディスプレイは、その出射装置が、使用時における使用時位置、未使用時における未使用時位置の間を変位可能である。網膜走査型ディスプレイは、出射装置を使用時位置から未使用時位置に変位させる操作に連動して、反射ミラーを、使用時における使用状態から、未使用時における収納状態に変位させる駆動機構を備えた。【選択図】図４
2010026193.tif 000002
【特許請求の範囲】
【請求項１】
眼鏡の蔓部に設けられ、画像信号に応じて画像光を出射する出射装置と、ユーザの視界内に設けられ、前記出射装置からの画像光をユーザの眼に向かって反射させる反射ミラーとを備えた画像表示装置において、
前記出射装置は、当該出射装置の使用時における使用時位置、未使用時における未使用時位置の間を変位可能であり、
前記出射装置を前記使用時位置から前記未使用時位置に変位させる操作に連動して、前記反射ミラーを、使用時における使用状態から、未使用時における収納状態に変位させる駆動機構を備えたことを特徴とする画像表示装置。
【請求項２】
請求項１に記載の画像表示装置において、
前記出射装置は、前記眼鏡の蔓部から脱着操作可能、又は、前記眼鏡の蔓部をスライド操作可能であり、当該脱着操作又は当該スライド操作によって、前記使用時位置、前記未使用時位置の間を変位することを特徴とする画像表示装置。
【請求項３】
請求項１又は２に記載の画像表示装置において、
前記眼鏡のレンズ枠にはレンズが設けられており、
前記反射ミラーは、前記使用状態では、ユーザの眼に対面する反射面が、前記眼鏡の蔓部側に傾斜して配置されており、前記収納状態では、前記レンズと前記反射面とが対面することを特徴とする画像表示装置。
【請求項４】
請求項１から３のいずれかに記載の画像表示装置において、
前記反射ミラーは、前記収納状態では、前記使用状態よりも、前記出射装置が設けられた眼鏡の蔓部側に配置されることを特徴とする画像表示装置。
【請求項５】
請求項１から４のいずれかに記載の画像表示装置において、
前記反射ミラーは、前記収納状態である場合には、前記反射面がユーザの視線に対して略垂直に面することを特徴とする画像表示装置。
【請求項６】
請求項１から５のいずれかに記載の画像表示装置において、
前記駆動機構は、前記使用状態から前記収納状態に前記反射ミラーを回転動作させて変位させることを特徴とする画像表示装置。
【請求項７】
請求項１から６のいずれかに記載の画像表示装置において、
前記駆動機構は、前記反射ミラーに設けられたばね部材を含む構成であり、前記ばね部材の弾性によって前記反射ミラーを前記使用状態から前記収納状態に変位させることを特徴とする画像表示装置。
【請求項８】
請求項１から７のいずれかに記載の画像表示装置において、
前記駆動機構は、前記出射装置を前記使用時位置から前記未使用時位置に変位させる操作に連動するリンク部を含む構成であり、
前記リンク部には、カム機構が形成されており、前記出射装置の変位に連動して前記反射ミラーを変位させることを特徴とする画像表示装置。
【請求項９】
請求項８に記載の画像表示装置において、
前記駆動機構は、眼鏡のレンズ枠の上端部に配置されていることを特徴とする画像表示装置。
【請求項１０】
請求項１又は２に記載の画像表示装置において、
前記反射ミラーは、前記使用状態では、ユーザの眼に対面する反射面が、前記出射装置が設けられた眼鏡の蔓部側に傾斜して配置されており、
前記駆動機構は、前記出射装置が設けられた眼鏡の蔓部とは逆側に前記反射ミラーを回転動作させることによって、前記使用状態から前記収納状態に前記反射ミラーを変位させることを特徴とする画像表示装置。
【請求項１１】
請求項１から１０のいずれかの画像表示装置において、
前記反射ミラーは、外界からの光を透過するハーフミラーであることを特徴とする画像表示装置。
【請求項１２】
請求項１から１１のいずれかに記載の画像表示装置であって、前記出射装置が、画像信号に応じて変調された画像光を走査させて出射させることを特徴とする網膜走査型の画像表示装置。
【発明の詳細な説明】
【技術分野】
【０００１】
本発明は、画像表示装置に関するものであり、特に、眼鏡の蔓部に設けられ、画像信号に応じて画像光を出射する出射装置と、出射装置からの画像光をユーザの眼に向かって反射させる反射ミラーとを備えた画像表示装置に関する。
【背景技術】
【０００２】
従来、画像を表示するための画像表示装置には、画像に関する画像信号に応じて出射される画像光や、外光などによって、画像を表示させるとともに、外界の様子を視認可能とする装置がある。
【０００３】
このような画像表示装置においては、例えば、特許文献１に示すように、画像光を出射する出射装置と、この出射装置からの画像光を反射させるハーフミラー（反射ミラー）とが含まれたものが開示されている。このハーフミラーは、ユーザの視界内に配置されており、側方からの画像光をユーザの眼に導かれることとなる。また、この画像表示装置においては、眼鏡の蔓部近傍に出射装置が内蔵されており、眼鏡のレンズ内部にはハーフミラーが変位不可能に設けられている。
【特許文献１】特開２００８−３５２０８号公報
【発明の開示】
【発明が解決しようとする課題】
【０００４】
しかしながら、上述したような画像表示装置では、例えば、特許文献１のように、出射装置を使わない未使用時であると、ハーフミラーがユーザの視界内に配置されていた。このため、ハーフミラーが眼鏡の枠体に固定されている場合には、ユーザの視界を妨げるおそれがあった。一方、ハーフミラーが収納可能な構成や、その他、取り外し可能である構成、折りたたみ可能である構成が考えられるが、この場合においては、ハーフミラー自体をユーザが指で触れてしまうおそれがあり、ハーフミラーの反射面を汚してしまい、出射装置からの画像光による画像や外界の景色を視認し難くしてしまうおそれがあった。
【０００５】
本発明は、上述したような課題に鑑みてなされたものであり、反射ミラー部に触れることなく収納状態に変位させることができる画像表示装置を提供することを目的とする。
【課題を解決するための手段】
【０００６】
以上のような目的を達成するために、本発明は、以下のようなものを提供する。
【０００７】
すなわち、請求項１に記載の本発明では、眼鏡の蔓部に設けられ、画像信号に応じて画像光を出射する出射装置と、ユーザの視界内に設けられ、前記出射装置からの画像光をユーザの眼に向かって反射させる反射ミラーとを備えた画像表示装置において、前記出射装置は、当該出射装置の使用時における使用時位置、未使用時における未使用時位置の間を変位可能であり、前記出射装置を前記使用時位置から前記未使用時位置に変位させる操作に連動して、前記反射ミラーを、使用時における使用状態から、未使用時における収納状態に変位させる駆動機構を備えたことを特徴とするものである。
【０００８】
また、請求項２に記載の本発明では、請求項１に記載の発明において、前記出射装置は、前記眼鏡の蔓部から脱着操作可能、又は、前記眼鏡の蔓部をスライド操作可能であり、当該脱着操作又は当該スライド操作によって、前記使用時位置、前記未使用時位置の間を変位することを特徴とするものである。
【０００９】
また、請求項３に記載の本発明では、請求項１又は２に記載の発明において、前記眼鏡のレンズ枠にはレンズが設けられており、前記反射ミラーは、前記使用状態では、ユーザの眼に対面する反射面が、前記眼鏡の蔓部側に傾斜して配置されており、前記収納状態では、前記レンズと前記反射面とが対面することを特徴とするものである。
【００１０】
また、請求項４に記載の本発明では、請求項１から３のいずれかに記載の発明において、前記反射ミラーは、前記収納状態では、前記使用状態よりも、前記出射装置が設けられた眼鏡の蔓部側に配置されることを特徴とするものである。
【００１１】
また、請求項５に記載の本発明では、請求項１から４のいずれかに記載の発明において、前記反射ミラーは、前記収納状態である場合には、前記反射面がユーザの視線に対して略垂直に面することを特徴とするものである。
【００１２】
また、請求項６に記載の本発明では、請求項５に記載の発明において、前記駆動機構は、前記使用状態から前記収納状態に前記反射ミラーを回転動作させて変位させることを特徴とするものである。
【００１３】
また、請求項７に記載の本発明では、請求項１から６のいずれかに記載の発明において、前記駆動機構は、前記反射ミラーに設けられたばね部材を含む構成であり、前記ばね部材の弾性によって前記反射ミラーを前記使用状態から前記収納状態に変位させることを特徴とするものである。
【００１４】
また、請求項８に記載の本発明では、請求項１から７のいずれかに記載の発明において、前記駆動機構は、前記出射装置を前記使用時位置から前記未使用時位置に変位させる操作に連動するリンク部を含む構成であり、前記リンク部には、カム機構が形成されており、前記出射装置の変位に連動して前記反射ミラーを変位させることを特徴とするものである。
【００１５】
また、請求項９に記載の本発明では、請求項８に記載の発明において、前記駆動機構は、眼鏡のレンズ枠の上端部に配置されていることを特徴とするものである。
【００１６】
また、請求項１０に記載の本発明では、請求項１から９のいずれかに記載の発明において、前記反射ミラーは、前記使用状態では、ユーザの眼に対面する反射面が、前記出射装置が設けられた眼鏡の蔓部側に傾斜して配置されており、前記駆動機構は、前記出射装置が設けられた眼鏡の蔓部とは逆側に前記反射ミラーを回転動作させることによって、前記使用状態から前記収納状態に前記反射ミラーを変位させることを特徴とするものである。
【００１７】
また、請求項１１に記載の本発明では、請求項１から１０のいずれかに記載の発明において、前記反射ミラーは、外界からの光を透過するハーフミラーであることを特徴とするものである。
【００１８】
また、請求項１２に記載の本発明では、請求項１から１０のいずれかに記載の画像表示装置であって、前記出射装置が、画像信号に応じて変調された画像光を走査させて出射させることを特徴とするものである。
【発明の効果】
【００１９】
請求項１、２、１１又は１２に記載の発明によれば、出射装置は、その使用時における使用時位置、未使用時における未使用時位置の間を変位可能であり、出射装置を使用時位置から未使用時位置に変位させる操作に連動して、反射ミラーを、使用時における使用状態から、未使用時における収納状態に変位させる駆動機構を備えた。従って、出射装置を使用時位置から未使用時位置に変位させることに連動して、反射ミラーが使用状態から収納状態に変位させるため、反射ミラー部に触れることなく収納状態に変位させることができる。これによって、反射ミラー部を汚れ難くすることができるとともに、収納状態に変位させることによって、ユーザの視界を妨げ難くすることができる。
【００２０】
また、請求項３に記載の発明によれば、反射ミラーは、使用状態では、ユーザの眼に対面する反射面が、眼鏡の蔓部側に傾斜して配置されており、収納状態では、眼鏡のレンズ枠におけるレンズと反射面とが対面する。従って、使用状態においては、反射ミラーの反射面がユーザの眼に対面させるが、収納状態においては、反射ミラーの反射面がレンズに対面させることとなり、反射ミラーの反射面を汚れ難くすることができる。
【００２１】
また、請求項４に記載の発明によれば、反射ミラーは、収納状態では、使用状態よりも出射装置が設けられた眼鏡の蔓部側に配置される。従って、使用状態においてはユーザの視界に配置されているが、収納状態においてはそれより眼鏡の蔓部側に配置されるため、ユーザの視界を妨げ難くすることができる。
【００２２】
また、請求項５に記載の発明によれば、反射ミラーは、収納状態である場合には、反射ミラーの反射面がユーザの視線に対して略垂直に面する。従って、反射ミラーの側縁がユーザの視線に対して略平行となるため、反射ミラーの側縁を視認し難くすることができ、ユーザの視界を妨げ難くすることができる。
【００２３】
また、請求項６、８に記載の発明によれば、駆動機構は、使用状態から収納状態に反射ミラーを回転動作させて変位させるので、簡素な構造で動作することができる。
【００２４】
また、請求項７に記載の発明によれば、駆動機構は、反射ミラーに設けられたばね部材の弾性によって反射ミラーを使用状態から収納状態に変位させるので、簡素な構造で確実に動作することができる。
【００２５】
また、請求項９に記載の発明によれば、駆動機構は、眼鏡のレンズ枠の上端部に配置されているので、駆動機構を視認し難くすることができ、ユーザの視界を妨げ難くすることができる。
【００２６】
また、請求項１０に記載の発明によれば、反射ミラーは、使用状態では、ユーザの眼に対面する反射面が、出射装置が設けられた眼鏡の蔓部側に傾斜して配置されており、駆動機構は、出射装置が設けられた眼鏡の蔓部とは逆側に前記反射ミラーを回転動作させることによって、使用状態から収納状態に前記反射ミラーを変位させる。従って、収納状態とするために、反射ミラーの縁端を大きく変位させることがなく、安全性に優れ、かつ、簡素な構造で動作することができる。
【発明を実施するための最良の形態】
【００２７】
以下に、本発明に好適な実施形態について図面に基づいて説明する。また、本発明の画像表示装置を網膜走査型ディスプレイ１に採用した実施形態について以下に説明する。
【００２８】
［画像表示装置の電気的構成］
本実施形態における網膜走査型ディスプレイ１の電気的構成などについて図１を用いて説明する。
【００２９】
図１に示すように、網膜走査型ディスプレイ１には、外部から供給される映像信号を処理するための光源ユニット部２が設けられている。光源ユニット部２には、外部からの映像信号が入力され、それに基づいて映像を合成するための要素となる各信号を発生する映像信号供給回路３が設けられ、この映像信号供給回路３から映像信号４、水平同期信号５、及び、垂直同期信号６が出力される。また、光源ユニット部２には、映像信号供給回路３から映像信号４として伝達される赤（Ｒ），緑（Ｇ），青（Ｂ）の各映像信号をもとにそれぞれ強度変調されたレーザ光を出射するように、Ｒレーザ１３，Ｇレーザ１２，Ｂレーザ１１を、それぞれ駆動するためのＲレーザドライバ１０，Ｇレーザドライバ９，Ｂレーザドライバ８が設けられている。これらのようなＲレーザ１３，Ｇレーザ１２，Ｂレーザ１１は、画像に関する画像信号に応じて変調された光を発する光源部の一例に相当する。さらに、各レーザより出射されたレーザ光を平行光にコリメートするように設けられたコリメート光学系１４と、それぞれコリメートされたレーザ光を合波するダイクロイックミラー１５と、合波されたレーザ光を光ファイバ１７に導く結合光学系１６とが設けられている。尚、Ｒレーザ１３，Ｇレーザ１２，Ｂレーザ１１として、レーザダイオード等の半導体レーザや固体レーザを利用してもよい。尚、本実施形態における光源ユニット部２は、少なくとも１つの光源と、当該光源から出射される光束を画像信号に応じて強度変調する変調手段の一例に相当する。
【００３０】
また、網膜走査型ディスプレイ１には、光源ユニット部２から伝搬されたレーザ光を水平走査系１９に導くコリメート光学系１８と、コリメートされたレーザ光を、ガルバノミラー１９ａを利用して水平方向に走査する水平走査系１９と、水平走査系１９によって走査されたレーザ光を垂直走査系２１に導く第１リレー光学系２０と、水平走査系１９に走査され、第１リレー光学系２０を介して入射されたレーザ光を、ガルバノミラー２１ａを利用して垂直方向に走査する垂直走査系２１と、垂直走査系２１に走査されたレーザ光をユーザの瞳孔２４に入射するように第２リレー光学系２２とが設けられている。
【００３１】
尚、具体的な一例としては、水平走査系１９は、表示すべき画像の１走査線ごとに、レーザ光を水平方向に水平走査（１次走査の一例）する光学系である。また、水平走査系１９は、レーザ光を水平方向に走査するガルバノミラー１９ａと、そのガルバノミラー１９ａの駆動制御を行う水平走査制御回路１９ｃとを備えている。
【００３２】
これに対し、垂直走査系２１は、表示すべき画像の１フレームごとに、レーザ光を最初の走査線から最後の走査線に向かって垂直に垂直走査（２次走査の一例）する光学系である。また、垂直走査系２１は、垂直走査するガルバノミラー２１ａと、そのガルバノミラー２１ａの駆動制御を行う垂直走査制御回路２１ｃとを備えている。
【００３３】
水平走査系１９は、垂直走査系２１より高速にすなわち高周波数でレーザ光を走査するように設計されている。また、水平走査系１９，垂直走査系２１は、図１に示すように、各々映像信号供給回路３に接続され、映像信号供給回路３より出力される水平同期信号５，垂直同期信号６にそれぞれ同期してレーザ光を走査するように構成されている。
【００３４】
尚、本実施形態における水平走査系１９及び垂直走査系２１などは、入射した光束を、第一の走査方向及びその方向に略垂直な第二の走査方向に走査させることによって、フレームを形成する光走査装置の一例である。また、本実施形態における水平走査系１９は、入射される光束を水平方向（第一の走査方向）に走査させる第一走査部の一例に相当し、本実施形態における垂直走査系２１は、その水平方向に走査された光束を、水平方向と直交する垂直方向（第二の走査方向）に走査させる第二走査部の一例に相当する。また、本実施形態における水平走査系１９、垂直走査系２１は、第一走査部と第二走査部とを含む構成であり、光源からの光を所定の走査方向に走査する走査部の一例に相当する。
【００３５】
次に、本発明の一実施形態の網膜走査型ディスプレイ１が、外部からの映像信号を受けてから、ユーザの網膜上に映像を投影するまでの過程について図１を用いて説明する。
【００３６】
図１に示すように、本実施形態の網膜走査型ディスプレイ１では、光源ユニット部２に設けられた映像信号供給回路３が外部からの映像信号の供給を受けると、映像信号供給回路３は、赤，緑，青の各色のレーザ光を出力させるためのＲ映像信号，Ｇ映像信号，Ｂ映像信号からなる映像信号４と、水平同期信号５と、垂直同期信号６とを出力する。Ｒレーザドライバ１０，Ｇレーザドライバ９，Ｂレーザドライバ８は各々入力されたＲ映像信号，Ｇ映像信号，Ｂ映像信号に基づいてＲレーザ１３，Ｇレーザ１２，Ｂレーザ１１に対してそれぞれの駆動信号を出力する。この駆動信号に基づいて、Ｒレーザ１３，Ｇレーザ１２，Ｂレーザ１１はそれぞれ強度変調されたレーザ光を発生し、各々をコリメート光学系１４に出力する。また、映像信号供給回路３は、後述するガルバノミラー１９ａの駆動状態を示すＢＤ信号（図示せず）に応じて、レーザ光を発生し、各々をコリメート光学系１４に出力するタイミングを制御する。つまり、このような網膜走査型ディスプレイ１において、映像信号供給回路３は、ガルバノミラー１９ａなどに光束を出射させるタイミングを制御することとなる。点光源から発生されるレーザ光は、このコリメート光学系１４によってそれぞれが平行光にコリメートされ、さらに、ダイクロイックミラー１５に入射されて１つの光束となるよう合成された後、結合光学系１６によって光ファイバ１７に入射されるよう導かれる。
【００３７】
光ファイバ１７によって伝搬されたレーザ光は、光ファイバ１７からコリメート光学系１８によって平行光にコリメートされて水平走査系１９に出射される。この出射されたレーザ光は、水平走査系１９のガルバノミラー１９ａの偏向面１９ｂに入射される。ガルバノミラー１９ａの偏向面１９ｂに入射したレーザ光は水平同期信号に同期して水平方向に走査されて第１リレー光学系２０を介し、垂直走査系２１のガルバノミラー２１ａの偏向面２１ｂに入射する。ガルバノミラー２１ａは、ガルバノミラー１９ａが水平同期信号に同期することと同様に垂直同期信号６に同期して、その偏向面２１ｂが入射光を垂直方向に反射するように往復振動をしており、このガルバノミラー２１ａによってレーザ光は垂直方向に走査される。ガルバノミラー２１ａによって走査されたレーザ光は、第２リレー光学系２２を介して、ユーザの瞳孔２４に入射する。これによって、ユーザはこのように２次元走査されて網膜上に投影されたレーザ光による画像を認識することができる。つまり、この網膜走査型ディスプレイ１は、画像に関する画像信号に応じて変調された光を走査して出射することで、ユーザの少なくとも一方の眼の網膜に画像を投影し、画像を表示する。尚、水平走査系１９のガルバノミラー１９ａと、垂直走査系２１のガルバノミラー２１ａとは、名称を同じように説明したが、光を走査するように其の反射面が揺動（回転）させられるものであれば、共振タイプ、非共振タイプ等、圧電駆動、電磁駆動、静電駆動等いずれの駆動方法、駆動方式によるものであってもよいことは言うまでもない。
【００３８】
［網膜走査型ディスプレイ等の構造］
上述した網膜走査型ディスプレイ１等の構造について図２から図４を用いて以下に説明する。図２（ａ）、図４は、網膜走査型ディスプレイ１と眼鏡５０とを示す上方からの外観図であり、図２（ｂ）は、網膜走査型ディスプレイ１と眼鏡５０とを示す後方からの外観図であり、図３は、網膜走査型ディスプレイ１と眼鏡５０とを示す正面からの外観図である。
【００３９】
図２（ａ）に示すように、網膜走査型ディスプレイ１は、眼鏡５０の蔓部５１に装着される。
【００４０】
網膜走査型ディスプレイ１は、本体部４０と、出射部４１と、反射ミラー４６とを含む構成である。また、網膜走査型ディスプレイ１は、眼鏡５０の蔓部５１内側に設けられており、画像信号に応じて画像光をユーザの眼に向かって出射することとなる。
【００４１】
また、これら本体部４０と出射部４１は、一体に形成されており、これらを含めて出射装置と称する。この出射装置は、詳しくは後述するが、眼鏡５０の蔓部５１に沿って前後方向にスライド可能に装着される。また、本体部４０には、上述したコリメート光学系１８、水平走査系１９、第１リレー光学系２０、垂直走査系２１、第２リレー光学系２２等が少なくとも含まれている。
【００４２】
この本体部４０には、図２（ｂ）に示すように、眼鏡５０の蔓部５１を挿入可能にする溝部４０ａが形成されている。この溝部４０ａが蔓部５１に当接することによって、網膜走査型ディスプレイ１が蔓部５１に沿って前後方向にスライド可能である。このように、網膜走査型ディスプレイ１には、眼鏡５０の蔓部５１に沿って前後方向にスライド可能なスライド機構が設けられている。
【００４３】
そして、この本体部４０のスライドにより、網膜走査型ディスプレイ１からの画像光（出射光）がユーザの眼に向かって出射される使用位置から、ユーザの眼に向かって出射されない未使用位置に網膜走査型ディスプレイ１が変位可能である。つまり、この本体部４０は、眼鏡５０の蔓部５１をユーザによってスライド操作可能であり、スライド操作によって、使用時位置、未使用時位置の間を変位することとなる。
【００４４】
また、本体部４０を、ユーザ装着時における後方にスライド操作させることによって、使用時における使用時位置、未使用時における未使用時位置の間を変位することとなる。尚、本実施形態においては、ユーザ装着時における後方にスライド操作させることによって、使用時位置、未使用時位置の間を変位するようにしたが、これに限らず、例えば、眼鏡５０の蔓部５１から本体部４０を脱することが可能であり、その着脱操作させることによって、使用時における使用時位置、未使用時における未使用時位置の間を変位するようにしてもよい。もちろん、例えば、本体部４０をユーザ装着時における後方にスライドさせることによって、眼鏡５０の蔓部５１に本体部４０を脱し、ユーザ装着時における前方にスライドさせることによって、眼鏡５０の蔓部５１に本体部４０を装着することが可能であってもよい。
【００４５】
また、本体部４０には、詳しく図４を用いて後述するが、リンク部材６１の一端を当接することによって、リンク部材６１を固定させるためのストッパ４２が設けられている。
【００４６】
反射ミラー４６は、図２に示すように、本体部４０や出射部４１とは別体で眼鏡５０のレンズ枠５３に装着される。この反射ミラー４６は、出射部４１からの画像光をユーザの瞳孔２４に向かって反射させるミラーであり、眼鏡５０のレンズ枠５３のユーザ側にある。また、この反射ミラー４６は、使用状態においてはユーザの視界内に配置され、ユーザの眼に対面する反射面が、眼鏡の蔓部側に傾斜して配置される。このように反射ミラー４６（反射部）を配置することによって、ユーザの眼までの光路を十分に取ることができる。
【００４７】
また、反射ミラー４６は、外界からの光を透過するハーフミラーであるため、ユーザに前方の視界を与えるとともに、網膜走査型ディスプレイ１によって出射された光を視認可能となる。尚、本実施形態においては、反射ミラー４６としてハーフミラーを採用したが、これに限らず、例えば、ホログラムや回折格子などであってもよく、外界からの光を十分に透過せず、網膜走査型ディスプレイ１によって出射された光を、屈折や全反射するものであってもよい。
【００４８】
反射ミラー４６は、図３に示すように、眼鏡５０のレンズ枠５３の上端部において、回転軸４７を中心に回転自在に装着されている。
【００４９】
また、この反射ミラー４６の上端部（レンズ枠５３の上端部）には、駆動機構６０が配置されている。この駆動機構６０には、反射ミラー４６を固定するためのリンク部材（リンク部）６１等が含まれており、詳しくは後述するが、このリンク部材６１の変位によって、反射ミラー４６を回転させることとなる。このように、眼鏡５０のレンズ枠５３の上端部に駆動機構６０が配置されているので、駆動機構６０を視認し難くすることができ、ユーザの視界を妨げ難くすることができる。
【００５０】
本体部４０が使用時位置に装着されている場合には、図４（ａ）に示すように、反射ミラー４６、リンク部材６１が使用状態となっている。具体的には、本体部４０が使用時位置に装着されている場合には、その本体部４０におけるストッパ４２がリンク部材６１の一端に当接している。
【００５１】
リンク部材６１には、弾性を有するばね部材６３の一端が固定部６２に固定されている。また、ばね部材６３の他端は、眼鏡５０の蔓部５１に固定されている。このため、リンク部材６１は、眼鏡５０の蔓部５１に向かって弾性が働いており、上述したストッパ４２によって固定されることとなる。尚、本実施形態においては、ばね部材６３の弾性によって、リンク部材６１、反射ミラー４６を変位させたが、これに限らず、例えば、他の弾性体による弾性によって変位させてもよい。もちろん、弾性を用いない構成であってもよい。
【００５２】
リンク部材６１には、切欠６１ａが形成されており、反射ミラー４６の回転軸４７に装着されている突起部６４と当接することによって、反射ミラー４６を所定の角度に固定することとなる。これによって、出射部４１からの画像光が反射ミラー４６でユーザの眼に向かって反射されることとなる。尚、本実施形態においては、リンク部材６１の切欠６１ａが外界側に設けられており、突起部６４がユーザの眼側に設けられているが、これに限らない。
【００５３】
このような構成において、眼鏡５０の蔓部５１から、網膜走査型ディスプレイ１の本体部４０を脱する操作をすることによって、図４（ｂ）に示すように、ストッパ４２が配置されず、ばね部材６３の弾性でリンク部材６１が眼鏡５０の蔓部５１の方向に変位する。尚、本実施形態においては、リンク部材６１の変位を導くためのガイド部材（図示せず）が設けられており、そのガイド部材に沿ってリンク部材６１が眼鏡５０の蔓部５１の方向に変位することとなる。
【００５４】
そして、これに伴い、切欠６１ａの位置も眼鏡５０の蔓部５１の方向に変位することとなり、突起部４６が時計回りに回転する。そして、この回転に連動して、反射ミラー４６が時計回りに回転する。
【００５５】
このように駆動機構６０は、本体部４０を使用時位置から未使用時位置に変位させる操作に連動するリンク部材６１や突起部６４等（リンク部）を含む構成である。また、このリンク部には、切欠６１ａと突起部６４を含むカム機構が形成されており、本体部４０の変位に連動して反射ミラー４６を変位させることとなる。
【００５６】
つまり、駆動機構６０（リンク部材６１やばね部材６３等を含む）は、本体部４０を、使用時位置（図４（ａ）参照）から、未使用時位置（図４（ｂ）参照）に変位させる操作に連動して、反射ミラー４６に設けられたばね部材６３の弾性によって、反射ミラー４６を、使用時における使用状態（図４（ａ）参照）から、未使用時における収納状態（図４（ｂ）参照）に変位させることとなる。
【００５７】
従って、本体部４０を脱する操作に連動して、反射ミラー４６に触れることなく収納状態に変位させることができる。これによって、反射ミラー部を汚れ難くすることができるとともに、収納状態に変位させることによって、ユーザの視界を妨げ難くすることができる。また、駆動機構６０は、ばね部材６３の弾性によって反射ミラーを使用状態から収納状態に変位させるので、簡素な構造で確実に動作することができる。
【００５８】
また、本実施形態においては、反射ミラー４６は、その反射面４６ａが眼鏡５０のレンズ枠５３に設けられたレンズ５２に対面するように回転し、眼鏡５０の蔓部５１方向に変位することとなる。従って、使用状態においては、反射ミラー４６の反射面４６ａがユーザの眼に対面させるが、収納状態においては、反射ミラー４６の反射面４６ａがレンズ５２に対面させることとなり、反射ミラー４６の反射面４６ａを汚れ難くすることができる。また、反射ミラー４６が、収納状態では、使用状態よりも眼鏡５０の蔓部５１側に配置されるので、ユーザの視界を妨げ難くすることができる。また、使用状態から収納状態に反射ミラー４６を回転動作させて変位させるので、簡素な構造で動作することができる。
【００５９】
また、収納状態における反射ミラー４６は、その反射面４６ａ（反射ミラー面）がユーザの視線に対して略垂直に面するように配置されることとなる。従って、反射ミラー４６の側縁がユーザの視線に対して略平行となるため、反射ミラーの側縁を視認し難くすることができ、ユーザの視界を妨げ難くすることができる。
【００６０】
［第二の実施形態］
尚、上述した実施形態においては、反射ミラー４６の反射面４６ａをレンズ５３に対面させるように回転させたが、これに限らず、例えば、反射ミラー４６の反射面４６ａをレンズ５３に対面させないように回転させてもよい。また、上述した実施形態においては、
反射ミラー４６が、収納状態では、使用状態よりも、本体部４０が設けられた眼鏡５０の蔓部５１側に配置されたが、これに限らず、例えば、眼鏡５０の蔓部５１の逆側に配置されてもよい。
【００６１】
このような好適な一実施形態について図５を用いて以下に説明する。尚、上述した実施形態と同じような構成については、理解を容易とするために説明を省略する。
【００６２】
図５（ａ）に示すように、リンク部材６１の切欠６１ａがユーザの眼側に設けられており、突起部６４が外界側に設けられている。そして、眼鏡５０の蔓部５１から、網膜走査型ディスプレイ１の本体部４０を脱する操作をすることによって、図５（ｂ）に示すように、ストッパ４２が配置されず、ばね部材６３の弾性でリンク部材６１が眼鏡５０の蔓部５１の方向に変位する。これに伴い、切欠６１ａの位置も眼鏡５０の蔓部５１の方向に変位することとなり、突起部４６が時計回りの逆回りに回転する。そして、この回転に連動して、反射ミラー４６が時計回りの逆回りに回転する。この場合においては、反射ミラー４６は、収納状態では、使用状態よりも、本体部４０が設けられた眼鏡５０の蔓部５１とは逆側に配置されることとなる。
【００６３】
このように、眼鏡５０の蔓部５１とは逆側に反射ミラー４６を回転動作させることによって、使用状態から収納状態に反射ミラー４６を変位させるので、収納状態とするために、反射ミラー４６の縁端を大きく変位させることがなく、安全性に優れ、かつ、簡素な構造で動作することができる。
【００６４】
［その他の実施形態］
また、上述した実施形態においては、反射ミラー４６を回転させて、使用状態から収納状態に変位させたが、これに限らず、例えば、反射ミラー４６をスライドさせて、使用状態から収納状態に変位させてもよい。
【００６５】
また、上述した実施形態においては、収納状態における反射ミラー４６を、ユーザの視線に対して略垂直に面するように構成したが、これに限らず、例えば、収納状態における反射ミラー４６を、ユーザの視界と離れた場所に変位させ、ユーザの視線に対して略垂直とならないように構成してもよい。
【００６６】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。例えば、本発明を適用した画像表示装置は、光を走査しないで画像光を出射する画像表示装置にも応用できることはいうまでもない。つまり、例えば、画像に関する画像信号に応じて変調された光を走査させて出射させることで、画像を表示する画像表示装置でなくても問題ない。
【図面の簡単な説明】
【００６７】
【図１】本実施形態における網膜走査型ディスプレイの電気的構成を示す説明図である。
【図２】本実施形態における網膜走査型ディスプレイにおける構成を示す外観図である。
【図３】本実施形態における網膜走査型ディスプレイにおける構成を示す外観図である。
【図４】本実施形態における網膜走査型ディスプレイにおける構成を示す外観図である。
【図５】本実施形態における網膜走査型ディスプレイにおける構成を示す外観図である。
【符号の説明】
【００６８】
１  網膜走査型ディスプレイ
１９  水平走査系
２１  垂直走査系
４０  本体部
４１  出射部
４６  反射ミラー
５０  眼鏡
６０  駆動機構
６１  リンク部材
【図１】
2010026193.tif 000003
【図２】
2010026193.tif 000004
【図３】
2010026193.tif 000005
【図４】
2010026193.tif 000006
【図５】
2010026193.tif 000007